(57)【特許請求の範囲】
【請求項１】
鍵盤シャーシと、この鍵盤シャーシ上に上下方向に回動可能に設けられた複数の鍵と、これら複数の鍵それぞれに対応して設けられて前記鍵を上方に付勢し、前記鍵の押鍵動作に伴って回動変位して前記鍵にアクション荷重を付与するためのハンマーアームと、前記複数の鍵それぞれにクリック感を付与するクリック感付与手段とを備え、
前記クリック感付与手段は、押鍵時に前記鍵が下方に回動する行き行程で前記ハンマーアームの一部が当接移動する傾斜部材を有し、
前記行き行程で前記ハンマーアームの一部が前記傾斜部材に当接して移動する際に、前記ハンマーアームと前記傾斜部材とが相対的に前記鍵の前後方向に変位し、前記鍵が上方に回動する戻り行程で前記ハンマーアームの一部が前記傾斜部材から離脱することを特徴とする鍵盤装置。
【請求項２】
前記ハンマーアームは、前記鍵盤シャーシのハンマー支持軸に回転自在で、かつ前記鍵の前後方向に向けて移動可能に取り付けられ、
前記傾斜部材は、前記鍵盤シャーシ側に固定され、押鍵時に前記鍵が下方に回動する行き行程で前記ハンマーアームの一部が当接して移動する際、前記ハンマーアームを前記ハンマー支持軸に沿って前記鍵の前後方向に移動させることを特徴とする請求項１記載の鍵盤装置。
【請求項３】
鍵盤シャーシと、この鍵盤シャーシ上に上下方向に回動可能に設けられた複数の鍵と、これら複数の鍵それぞれにクリック感を付与するクリック感付与手段とを備え、
前記クリック感付与手段は、突起片と、この突起片が乗り越えて係合する係合部を有する回転体と、この回転体の回転角を規制する回転規制部材とを備え、押鍵時に前記鍵が下方に回動する行き行程で前記係合部に前記突起片が係合するときに前記回転体の回転が前記回転規制部材によって規制され、前記鍵が上方に回動する戻り行程で前記係合部から前記突起片が離脱するときに前記回転規制部材による前記回転体に対する規制が解除されて前記回転体が回転することを特徴とする鍵盤装置。
【請求項４】
前記突起片は前記鍵に設けられ、前記回転体は前記鍵の押鍵動作に伴って回動変位して前記鍵にアクション荷重を付与するためのハンマーアームに設けられ、前記回転規制部材は、前記回転体に設けられた規制部と、前記ハンマーアームに設けられたストッパ部とからなり、前記鍵の行き行程で前記ストッパ部が前記規制部に当接し、前記鍵の戻り行程で前記ストッパ部が前記規制部から離間することを特徴とする請求項３記載の鍵盤装置。
【請求項５】
前記突起片は前記鍵盤シャーシに設けられ、前記回転体は前記鍵に設けられ、前記回転規制部材は、前記回転体に設けられた規制部と、前記鍵に設けられたストッパ部とからなり、前記鍵の行き行程で前記ストッパ部が前記規制部に当接し、前記鍵の戻り行程で前記ストッパ部が前記規制部から離間することを特徴とする請求項３記載の鍵盤装置。
【請求項６】
鍵盤シャーシと、この鍵盤シャーシ上に上下方向に回動可能に設けられた複数の鍵と、これら複数の鍵それぞれに対応して設けられて前記鍵を上方に付勢し、前記鍵の押鍵動作に伴って回動変位して前記鍵にアクション荷重を付与するためのハンマーアームと、前記複数の鍵それぞれにクリック感を付与する第１、第２クリック感付与手段とを備え、
前記第１クリック感付与手段は、押鍵時に前記鍵が下方に回動する行き行程で前記ハンマーアームの一部が当接移動する傾斜部材を有し、押鍵時の前記行き行程で前記ハンマーアームの一部が前記傾斜部材に当接して移動する際に、前記ハンマーアームと前記傾斜部材とが相対的に前記鍵の前後方向に変位し、前記鍵が上方に回動する戻り行程で前記ハンマーアームの一部が前記傾斜部材から離脱するように構成され、
前記第２クリック感付与手段は、突起片と、この突起片が乗り越えて係合する係合部を有する回転体と、この回転体の回転角を規制する回転規制部材とを備え、押鍵時に前記鍵が下方に回動する行き行程で前記係合部に前記突起片が係合するときに前記回転体の回転が前記回転規制部材によって規制され、前記鍵が上方に回動する戻り行程で前記係合部から前記突起片が離脱するときに前記回転規制部材による前記回転体に対する規制が解除されて前記回転体が回転するように構成されていることを特徴とする鍵盤装置。
【発明の詳細な説明】
【０００１】
【発明の属する技術分野】
この発明は、電子ピアノなどの鍵盤楽器における鍵盤装置に関する。
【０００２】
【従来の技術】
電子ピアノなどの鍵盤楽器では、アコースティックピアノの鍵タッチ感に近似した鍵タッチ感を得るために、鍵の下方に所定の重量を有するハンマーアームを上下方向に回動可能に設け、鍵の押鍵操作に伴ってハンマーアームがそれ自身の重量に抗して回動することにより、鍵に所定のアクション荷重を付与するようにしたものがある。
このような鍵盤楽器では、鍵を回動可能に支持する鍵盤シャーシにハンマーアームをただ単に回動可能に取り付けた場合、鍵に所定のアクション荷重を付与することはできるが、アコースティックピアノで得られる抜ける感じの鍵タッチ感に近似した鍵タッチ感を得ることができない。
そこで、従来では、このような鍵タッチ感が得られるように、クリック感付与手段を備えた鍵盤装置が開発されている。
【０００３】
図１６はその一例を示した図である。この鍵盤装置は、楽器ケース内に組み込まれる鍵盤シャーシ１を備えている。この鍵盤シャーシ１は、前端部（同図では左端部）１ａが凹部状に折り曲げられた上、その前端上部が更にＬ字状に折り曲げられ、かつ後端部（同図では右端部）１ｂがコ字状に折り曲げられ、前端部１ａの凹部状の部分の底部と後端部１ｂのコ字状の部分の底部とがほぼ同じ高さに形成されている。この鍵盤シャーシ１上には、合成樹脂製の複数の鍵（白鍵と黒鍵、ただしここでは黒鍵について説明する。）２が並列に配置されている。この場合、各鍵２は、その後端部（同図では右端部）の下部が鍵盤シャーシ１の後端部１ｂ上に設けられた鍵支持部３の軸４に回動自在に取り付けられ、この軸４を中心に上下方向に回動するように構成されている。
【０００４】
また、鍵２の中間部に対応する鍵盤シャーシ１上には、ハンマーアーム５を上下方向に回動自在に支持するハンマー支持軸６が設けられている。ハンマーアーム５は、上端部５ａ、中間部５ｂ、および下端部５ｃからなり、中間部５ｂがハンマー支持軸６に回動自在に支持され、下端部５ｃが鍵盤シャーシ１の開口部１ｃを通して鍵盤シャーシ１の後端部１ｂ内に配置され、この下端部５ｃに錘７が設けられ、この錘７の重量によって図１６において時計方向に付勢され、これにより上端部５ａが鍵２の下面に当接し、鍵２を上方に付勢している。また、このハンマーアーム５は、図１６に示すように、通常は錘７の重量によって下方に付勢され、下端部５ｃの先端に設けられた突起部５ｄの下面が鍵盤シャーシ１の後端部１ｂの底部上に設けられたフェルトなどの下限ストッパ８に当接し、これにより所定の下限位置に位置規制されており、また錘７の重量に抗して鍵２が押鍵された際には、ハンマーアーム５の下端部５ｃの突起部５ｄの上面が鍵盤シャーシ１の後端部１ｂの上部内面に設けられたフェルトなどの上限ストッパ９に当接し、これにより所定の上限位置に位置規制されている。
【０００５】
このハンマーアーム５の下端部５ｃの後方（同図では右方）における鍵盤シャーシ１の後端部１ｂの底部上には、鍵２にアコースティックピアノで得られる抜ける感じの鍵タッチ感に近似した鍵タッチ感を付与するクリック感付与部材１０が設けられている。このクリック感付与部材１０は、図１６および図１７に示すように、鍵盤シャーシ１の後端部１ｂの底部上に固定された合成樹脂製のローラ支持体１１を備えている。このローラ支持体１１は、各鍵２に対応する個所に板ばね部１１ａがほぼＬ字形状に形成されて上方に延び、この板ばね部１１ａの上端部にローラ１２が回転自在に取り付けられる取付枠１１ｂが形成された構造になっている。このクリック感付与部材１０は、押鍵時にハンマーアーム５の下端部５ｃに設けられた突起部５ｄの先端がローラ１２に当接した後、ローラ支持体１１の板ばね部１１ａのばね力に抗してローラ１２を乗り越えたときに、鍵２に抜ける感じの鍵タッチ感を付与する。
【０００６】
なお、各鍵２は、ハンマーアーム５によって上方に付勢されているが、通常は各鍵２の前端部に垂設されたＬ字状のストッパ片１３が鍵盤シャーシ１の前端部１ａにおける凹部状の部分の両側下面にそれぞれ設けられたフェルトなどの上限ストッパ１４に当接することにより、所定の初期位置（上限位置）に位置規制されている。また、各鍵２には、押鍵時にゴムスイッチ１５を押圧するためのスイッチ押圧部１６が設けられている。ゴムスイッチ１５は、その内部に固定接点と可動接点が２組設けられたものであり、鍵盤シャーシ１の中間部の下面に設けられた回路基板１７上に配設され、鍵盤シャーシ１の開口部１ｄを通して上方に突出し、これにより鍵２のスイッチ押圧部１６が押圧可能に離間対向している。
【０００７】
このような鍵盤装置では、ハンマーアーム５の錘７の重量に抗して鍵２が押鍵されると、鍵２がその後端部の軸４を中心に下方に回動するとともに、ハンマーアーム５がその中間部５ｂのハンマー支持軸６を中心に図１６において反時計方向に回動し、この後、鍵２のスイッチ押圧部１６がゴムスイッチ１５を押圧した後、ハンマーアーム５の突起部５ｄがクリック感付与部材１０のローラ１２を乗り越えて鍵２に抜ける感じのクリック感を与える。そして、突起部５ｄが上限ストッパ９に当接することにより、ハンマーアーム５および鍵２の回動が停止する。この後、ハンマーアーム５が錘７の重量により図１６において時計方向に回動し、上記と逆の動作を行って、鍵２が図１６に示す初期位置に戻る。
【０００８】
このときの鍵ストロークに対する鍵荷重について、図１８を参照して詳細に説明する。まず、鍵２が押鍵されて下方に回動する行き行程では、鍵２が回動を開始するときに、ハンマーアーム５の錘７の重量が鍵２に作用するため、鍵荷重が急激に重くなり、Ａ点に到達するとハンマーアーム５の回動速度がほぼ一定になるため、鍵荷重もほぼ一定になり、この状態で鍵２が回動してＢ点に到達すると、鍵２のスイッチ押圧部１６がゴムスイッチ１５に当接して押圧するので、鍵荷重が更に重くなる。そして、鍵２が回動してＣ点に到達すると、ハンマーアーム５の下端部５ｃの突起部５ｄの先端がクリック感付与部材１０のローラ１２に下方から当接してローラ支持体１１の板ばね部１１ａを撓ませるので、鍵荷重が急に重くなり、Ｄ点に到達するとハンマーアーム５の突起部５ｄが板ばね部１１ａのばね力に抗してローラ１２を乗り越えるので、鍵荷重が急激に軽くなる。このときに、鍵２に抜ける感じのクリック感が付与される。この後、鍵２が更に回動してＥ点に到達すると、ハンマーアーム５の突起部５ｄが上限ストッパ９に当接するので、鍵荷重が急激に重くなり、ハンマーアーム５および鍵２の回動が停止する。
【０００９】
また、鍵２が下限位置に到達して上方に回動する戻り行程では、ハンマーアーム５の錘７の重量によりハンマーアーム５が下方に回動するため、鍵荷重が急激に降下して軽くなり、行き行程でのＥ点よりも鍵荷重が軽いＦ点に到達すると、ハンマーアーム５の突起部５ｄの先端がクリック感付与部材１０のローラ１２に上方から当接してローラ支持体１１の板ばね部１１ａを撓ませてローラ１２を乗り越えるときに、鍵荷重が急に重くなり、Ｇ点に到達するとハンマーアーム５の突起部５ｄがローラ１２から離脱するので、鍵荷重が急激に軽くなる。このときにも、鍵２にクリック感が付与される。このＧ点は行き行程のＤ点に比べて、ヒステリシスの時間差ＴHだけ遅れて発生する。そして、鍵２が回動してＨ点に到達すると、スイッチ押圧部１６がゴムスイッチ１５によって押し上げられる反発力により、鍵荷重が更に軽くなり、Ｉ点に到達するとスイッチ押圧部１６がゴムスイッチ１５から離間し、ハンマーアーム５がほぼ一定速度で回動するので、鍵荷重がほぼ一定になり、この状態でハンマーアーム５および鍵２が回動し、Ｊ点に到達するとハンマーアーム５の突起部５ｄが下限ストッパ８に当接して回動が停止するので、鍵荷重が急激に軽くなり、鍵２のストッパ片１３が上限ストッパ１４に当接して鍵２が初期位置に戻る。
【００１０】
【発明が解決しようとする課題】
このような鍵盤装置では、押鍵時に鍵２が下方に回動する行き行程のときに、ハンマーアーム５が上方に回動してその突起部５ｄがクリック感付与部材１０のローラ１２に当接した後、ローラ支持体１１の板ばね部１１ａのばね力に抗してローラ１２を乗り越えるので、アコースティックピアノの鍵タッチ感に近似した抜ける感じのクリック感を鍵２に付与することができる。しかし、ハンマーアーム５が下方へ回動して鍵２が上方に回動する戻り行程のときにも、ハンマーアーム５の突起部５ｄがローラ１２に当接して板ばね部１１ａのばね力に抗してローラ１２を乗り越えるため、鍵２にクリック感を付与してしまうことになり、本来アコースティックピアノには無い戻り行程でのクリック感が発生してしまうという問題がある。また、このように戻り行程でクリック感が発生すると、ハンマーアーム５の復帰速度が遅くなり、これに伴って鍵２の初期位置への復帰も遅くなるため、連打性が悪くなるという問題が生じる。
【００１１】
この発明の課題は、押鍵時に鍵が下方に回動する行き行程で鍵に抜ける感じの鍵タッチ感を良好に付与し、戻り行程で鍵に対するクリック感が生じないようにし、アコースティックピアノの鍵タッチ感に近似した鍵タッチ感が得られるようにすることである。
【００１２】
【課題を解決するための手段】
請求項１記載の発明は、鍵盤シャーシと、この鍵盤シャーシ上に上下方向に回動可能に設けられた複数の鍵と、これら複数の鍵それぞれに対応して設けられて鍵を上方に付勢し、鍵の押鍵動作に伴って回動変位して鍵にアクション荷重を付与するためのハンマーアームと、複数の鍵それぞれにクリック感を付与するクリック感付与手段とを備え、このクリック感付与手段は、押鍵時に鍵が下方に回動する行き行程でハンマーアームの一部が当接移動する傾斜部材を有し、押鍵時の行き行程でハンマーアームの一部が傾斜部材に当接して移動する際に、ハンマーアームと傾斜部材とが相対的に鍵の前後方向に変位し、鍵が上方に回動する戻り行程でハンマーアームの一部が傾斜部材から離脱することを特徴とする。
この発明によれば、押鍵時に鍵が下方に回動する行き行程では、ハンマーアームの一部が傾斜部材に当接して移動する際に、ハンマーアームと傾斜部材とが相対的に鍵の前後方向に変位することにより、鍵荷重が重くなり、ハンマーアームの一部が傾斜部材を移動して乗り越えると鍵荷重が軽くなり、これにより鍵に抜ける感じの鍵タッチ感が付与されることになり、また鍵が上方に回動する戻り行程では、ハンマーアームの一部が傾斜部材から離脱するので、鍵に対しクリック感が付与されることがなく、これによりアコースティックピアノの鍵タッチ感に近似した鍵タッチ感を得ることができる。
【００１３】
請求項３記載の発明は、鍵盤シャーシと、この鍵盤シャーシ上に上下方向に回動可能に設けられた複数の鍵と、これら複数の鍵それぞれにクリック感を付与するクリック感付与手段とを備え、このクリック感付与手段は、突起片と、この突起片が乗り越えて係合する係合部を有する回転体と、この回転体の回転角を規制する回転規制部材とを備え、押鍵時に鍵が下方に回動する行き行程で係合部に突起片が係合するときに回転体の回転が回転規制部材によって規制され、鍵が上方に回動する戻り行程で係合部から突起片が離脱するときに回転規制部材による回転体に対する規制が解除されて回転体が回転することを特徴とする。
この発明によれば、押鍵時に鍵が下方に回動する行き行程で突起片が回転体の係合部に係合するときに、回転規制部材によって回転体の回転が規制されるため、回転体の係合部に突起片が乗り越えて係合することになり、このため突起片が乗り越えるときに鍵荷重が重くなり、乗り越えて係合部に係合したときに鍵荷重が軽くなり、これにより鍵に抜ける感じの鍵タッチ感が付与されることになり、また鍵が上方に回動する戻り行程では、係合部から突起片が離脱するときに回転規制部材による回転体に対する規制が解除されて回転体が回転するので、鍵に対しクリック感が付与されることがなく、これによりアコースティックピアノの鍵タッチ感に近似した鍵タッチ感を得ることができる。
【００１４】
請求項６記載の発明は、鍵盤シャーシと、この鍵盤シャーシ上に上下方向に回動可能に設けられた複数の鍵と、これら複数の鍵それぞれに対応して設けられて鍵を上方に付勢し、鍵の押鍵動作に伴って回動変位して鍵にアクション荷重を付与するためのハンマーアームと、複数の鍵それぞれにクリック感を付与する第１、第２クリック感付与手段とを備え、第１クリック感付与手段は、押鍵時に鍵が下方に回動する行き行程でハンマーアームの一部が当接移動する傾斜部材を有し、押鍵時の行き行程でハンマーアームの一部が傾斜部材に当接して移動する際に、ハンマーアームと傾斜部材とが相対的に鍵の前後方向に変位し、鍵が上方に回動する戻り行程でハンマーアームの一部が傾斜部材から離脱するように構成され、第２クリック感付与手段は、突起片と、この突起片が乗り越えて係合する係合部を有する回転体と、この回転体の回転角を規制する回転規制部材とを備え、押鍵時に鍵が下方に回動する行き行程で係合部に突起片が係合するときに回転体の回転が回転規制部材によって規制され、鍵が上方に回動する戻り行程で係合部から突起片が離脱するときに回転規制部材による回転体に対する規制が解除されて回転体が回転するように構成されていることを特徴とする。
この発明によれば、押鍵時に鍵が下方に回動する行き行程では、第１クリック感付与手段および第２クリック感付与手段の両者により、請求項１記載の発明および請求項３記載の発明と同様、鍵に抜ける感じの鍵タッチ感を付与することができ、鍵が上方に回動する戻り行程では、第１クリック感付与手段および第２クリック感付与手段の両者が、請求項１記載の発明および請求項３記載の発明と同様、鍵に対しクリック感を付与しないため、より一層、アコースティックピアノの鍵タッチ感に近似した鍵タッチ感を得ることが可能になる。
【００１５】
【発明の実施の形態】
［第１実施形態］
以下、図１〜図５を参照して、この発明の鍵盤装置の第１実施形態について説明する。なお、図１６〜図１８に示された従来例と同一部分には同一符号を付し、その説明は省略する。
この鍵盤装置は、クリック感付与部材２０が従来例と異なり、これ以外は従来例と同じ構成になっている。このクリック感付与部材２０は、図１に示すように、ハンマーアーム５の上限ストッパ９の後方（同図では右方）における鍵盤シャーシ１の後端部１ｂ内の上部内面に設けられた傾斜部材２１を備えている。この傾斜部材２１には、図１〜図４に示すように、押鍵時に鍵２が下方に回動する行き行程で、ハンマーアーム５の下端部５ｃの後端に設けられた突起部２２の先端が下方から当接して移動する傾斜段部２３が設けられている。この傾斜段部２３は、ハンマーアーム５の突起部２２が当接して移動する傾斜部２３ａと、この傾斜部２３ａのほぼ中間部に設けられた段差部２３ｂとからなり、押鍵時にハンマーアーム５の突起部２２の先端が下方から段差部２３ｂに当接するように構成されている。
【００１６】
一方、ハンマーアーム５は、鍵盤シャーシ１上に設けられたハンマー支持軸６に回動可能で、かつ鍵２の前後方向に向けて移動可能に取り付けられている。すなわち、ハンマーアーム５には、ハンマー支持軸６が移動可能に挿入する長孔２４が設けられている。この長孔２４は、押鍵時にハンマーアーム５が回動してその突起部２２が傾斜段部２３に下方から当接するときに、ほぼ水平な状態となるように形成されている。従って、このハンマーアーム５は、押鍵時に突起部２２が下方から傾斜段部２３に当接し、この傾斜段部２３に沿って移動するときに、ハンマー支持軸６が長孔２４内を相対的に移動することにより、鍵２の前方（図４に示す左方）に移動し、また鍵２が上方に回動する戻り行程で突起部２２が下方に移動するときに、突起部２２が傾斜部材２１から離脱し、下限ストッパ８に当接する前に、ハンマーアーム５の錘７の重量によってハンマー支持軸６が長孔２４内を相対的に逆方向に移動することにより、鍵２の後方（図１に示す右方）に移動して初期状態に戻るように構成されている。
【００１７】
このような鍵盤装置では、従来例と同様、ハンマーアーム５の錘７の重量に抗して鍵２が押鍵されると、鍵２が軸４を中心に下方に回動するとともに、ハンマーアーム５がハンマー支持軸６を中心に図１において反時計方向に回動した後、鍵２のスイッチ押圧部１６がゴムスイッチ１５を押圧する。この後、図３に示すように、ハンマーアーム５の突起部２２が傾斜部材２１の傾斜段部２３の段差部２３ｂに下方から当接し、この段差部２３ｂから上側の傾斜面２３ａに沿って移動する。このときには、ハンマーアーム５の長孔２４がほぼ水平となり、ハンマーアーム５の突起部２２が傾斜段部２３に沿って移動するのに伴ってハンマー支持軸６が長孔２４内をハンマーアーム５の重量に抗して相対的に移動し、これによりハンマーアーム５が図４に示すように鍵２の前方に移動する。このときに、図５のＣ点からＤ点に示すように、鍵荷重が急激に重くなる。そして、図４に示すようにハンマーアーム５の突起部２２が傾斜段部２３を乗り越えると、図５のＤ点からＥ点に示すように、鍵荷重は急激に軽くなる。これにより、鍵２に抜ける感じのクリック感が与えられる。この後は、従来例と同様、ハンマーアーム５の突起部２２の上面が上限ストッパ９に当接して、ハンマーアーム５および鍵２の回動が停止する。
【００１８】
この後、ハンマーアーム５が錘７の重量により図４において時計方向に回動すると、これに伴って鍵２が上方に回動する。この戻り行程のときには、ハンマーアーム５が前方に移動した状態、つまりハンマー支持軸６がハンマーアーム５の長孔２４内の右端部に位置した状態で回動するので、ハンマーアーム５の突起部２２は、傾斜部材２１の傾斜段部２３に沿って移動せず、傾斜部材２１からそのまま離脱する。このため、図５のＦ点からＨ点に示すように、鍵荷重が重くなることがなく、鍵２にクリック感が付与されることがない。なお、この後は、従来例と同様、ハンマーアーム５および鍵２が回動して図１に示す初期位置に戻るのであるが、このときには、ハンマーアーム５が回動して長孔２４が右下がりに傾くので、ハンマーアーム５の錘７の重量によりハンマー支持軸６が長孔２４内を相対的に逆方向に移動することになり、これによりハンマーアーム５が後方（図１では右側）に移動し、この後、ハンマーアーム５の突起部２２の下面が下限ストッパ８に当接して、ハンマーアーム５が初期位置に戻る。
【００１９】
このように、この鍵盤装置では、押鍵時に鍵２が下方に回動する行き行程では、ハンマーアーム５の突起部２２が傾斜部材２１の傾斜段部２３に当接し、この傾斜段部２３に沿って移動するときに、ハンマーアーム５がその錘７の重量に抗して鍵２の前方に移動するので、鍵荷重が急激に重くなり、突起部２２が傾斜段部２３を乗り越えると、鍵荷重が軽くなり、これにより鍵２に抜ける感じの鍵タッチ感を付与することができ、また鍵２が上方に回動する戻り行程では、ハンマーアーム５の突起部２２が傾斜段部２３に沿って移動せず、そのまま傾斜部材２１から離脱するため、鍵２に対しクリック感が付与されることがなく、このためアコースティックピアノの鍵タッチ感に近似した鍵タッチ感を得ることができる。また、戻り行程では、鍵２にクリック感が付与されないため、ハンマーアーム５の復帰速度が従来のものよりも早くなり、これに伴って鍵２の初期位置への復帰が早くなるため、連打性が向上する。
【００２０】
なお、上記第１実施形態では、ハンマーアーム５の突起部２２が傾斜部材２１の傾斜段部２３に当接し、この傾斜段部２３に沿って移動するときに、ハンマーアーム５が鍵２の前方に移動するように構成したが、これに限らず、例えば図６に示すように、鍵盤シャーシ１の後端部１ｂ内の上部内面に長孔２５を鍵２の前後方向に沿って設け、この長孔２５に傾斜部材２１をスライド可能に取り付け、この傾斜部材２１をばねなどの復帰部材２６により初期位置に復帰するように付勢した構造でも良い。この場合には、ハンマーアーム５は鍵２の前後方向に移動することなくハンマー支持軸６に回動のみ可能に取り付けられている。このようにすれば、押鍵時に鍵２が下方に回動する行き行程でハンマーアーム５の突起部２２が傾斜部材２１の傾斜段部２３に当接し、この傾斜段部２３に沿って移動して傾斜部材２１を乗り越えるときに、復帰部材２６の復帰力に抗して傾斜部材２１が長孔２５に沿って鍵２の後方に移動するので、第１実施形態と同様、鍵２に抜ける感じの鍵タッチ感を付与することができ、また鍵２が上方に回動する戻り行程ではハンマーアーム５の突起部２２が傾斜部材２１からそのまま離脱するので、第１実施形態と同様、鍵２に対しクリック感が付与されることがなく、このためアコースティックピアノの鍵タッチ感に近似した鍵タッチ感を得ることができる。
【００２１】
また、上記第１実施形態およびその変形例では、傾斜部材２１をハンマーアーム５の後方に設け、ハンマーアーム５の下端部５ｃの後端に設けられた突起部２２が傾斜部材２１の傾斜段部２３に当接するように構成したが、これに限らず、例えばハンマーアーム５の前方に傾斜部材２１を設けるとともに、ハンマーアーム５の上端部５ａの先端に突起部２２を設け、この突起部２２が傾斜部材２１の傾斜段部２３に当接するようにしても良い。この場合には、傾斜部材２１を上下反転させて鍵盤シャーシ１上に取り付ければ良い。このようにしても、第１実施形態およびその変形例とほぼ同様の作用効果がある。
【００２２】
［第２実施形態］
次に、図７〜図９を参照して、この発明の鍵盤装置の第２実施形態について説明する。この場合には、図１〜図５に示された第１実施形態と同一部分には同一符号を付し、その説明は省略する。
この鍵盤装置は、クリック感付与部材３０が第１実施形態と異なり、これ以外は第１実施形態と同じ構成になっている。このクリック感付与部材３０は、図７に示すように、ハンマーアーム５の上端部５ａの先端に設けられて外周面が鍵２の内面を摺動する回転体３１と、この回転体３１の外周面が摺動する鍵２の内面に設けられた突起片３２とを備えている。回転体３１は、ハンマーアーム５の上端部５ａの先端に軸３３により回転自在に取り付けられ、その外周面に鍵２の突起片３２が乗り越えて係合する係合凹部３１ａが設けられ、回転規制部材３４によってその回転角が規制されるように構成されている。
【００２３】
回転規制部材３４は、回転体３１の外周面に設けられた規制凹部３４ａと、ハンマーアーム５に設けられたストッパ片３４ｂとを有し、このストッパ片３４ｂの先端部が規制凹部３４ａ内に移動可能に挿入して規制凹部３４ａ内の両側のいずれかの端面に当接することにより、回転体３１の回転角を規制している。すなわち、回転体３１は、押鍵時に鍵２が下方に回動する行き行程で突起片３２が係合凹部３１ａに係合するときに、回転規制部材３４のストッパ片３４ｂが規制凹部３４ａの端面３４ｃに当接することにより、その方向（図８（ａ）に示す矢印Ｘ方向）への回転が規制され、逆に鍵２が上方に回動する戻り行程で突起片３２が係合凹部３１ａから離脱するときに、規制凹部３４ａがストッパ片３４ｂから離間することにより、その方向（図８（ｃ）に示す矢印Ｚ方向）に回転するように構成されている。
【００２４】
このような鍵盤装置では、従来例と同様、ハンマーアーム５の錘７の重量に抗して鍵２が押鍵されると、図７に示す状態で、鍵２が軸４を中心に下方に回動するとともに、ハンマーアーム５がハンマー支持軸６を中心に図７において反時計方向に回動する。このときには、ハンマーアーム５に取り付けられた回転体３１の外周面が鍵２の内面を図８（ａ）に示す矢印Ｙ方向に摺動し、これにより回転体３１が同図に示す矢印Ｘ方向に回転しながら鍵２の突起片３２に接近する。そして、鍵２のスイッチ押圧部１６がゴムスイッチ１５を押圧した後は、図８（ｂ）に示すように、回転規制部材３４のストッパ片３４ｂに回転体３１の規制凹部３４ｂの端面３４ｃが当接し、これにより回転体３１の回転が規制され、この状態で図８（ｃ）に示すように鍵２の突起片３２が回転体３１の外周面を乗り越えて回転体３１の係合凹部３１ａに係合する。このように突起片３２が回転体３１の外周面を乗り越えて係合凹部３１ａに係合するときに、図９のＣ点からＤ点に示すように、鍵荷重が重くなり、突起片３２が係合凹部３１ａに係合すると、図９のＤ点からＥ点に示すように、鍵荷重が軽くなる。これにより、鍵２に抜ける感じのクリック感が与えられる。この後、ハンマーアーム５の突起部２２が上限ストッパ９に当接して、従来例と同様、ハンマーアーム５および鍵２の回動が停止する。
【００２５】
この後、ハンマーアーム５が錘７の重量により図８（ｃ）において時計方向に回動すると、これに伴って鍵２が上方に回動するともに、回転体３１が鍵２の内面に沿って上記と逆方向（矢印Ｙ方向と逆方向）に摺動を開始する。このときには、鍵２の突起片３２が係合凹部３１ａの縁に当接して回転体３１を図８（ｃ）において左側に押すので、回転体３１の規制凹部３４ａの端面３４ｃがストッパ片３４ｂから離間して回転体３１が図８（ｃ）に示す矢印Ｚ方向に回転する。これにより、突起片３２が回転体３１の外周面を乗り越えることなく係合凹部３１ａから離脱する。このため、図９のＦ点からＨ点に示すように、鍵荷重が重くならず、鍵２にクリック感が付与されることがない。なお、この後は、従来例と同様に、ハンマーアーム５および鍵２が回動して図７に示す初期位置に戻る。
【００２６】
このように、この鍵盤装置によれば、押鍵時に鍵２が下方に回動する行き行程では、回転規制部材３４によって回転体３１の回転が規制されるため、回転体３１の外周面を鍵２の突起片３２が乗り越えて係合凹部３１ａに係合することになり、このときに鍵荷重が重くなり、突起片３２が係合凹部３１ａに係合したときに鍵荷重が軽くなり、これにより鍵２に抜ける感じの鍵タッチ感を付与することができ、また鍵２が上方に回動する戻り行程では、回転体３１の係合凹部３１ａから突起片３２が離脱するときに、回転規制部材３４のストッパ片３４ｂから規制凹部３４ａの端面３４ｃが離れるので、回転体３１が回転することになり、これにより鍵２に対しクリック感が付与されることがなく、アコースティックピアノの鍵タッチ感に近似した鍵タッチ感を得ることができる。また、戻り行程でクリック感が付与されないため、ハンマーアーム５の復帰速度が従来のものよりも早くなり、これに伴って鍵２の初期位置への復帰が早くなるため、連打性が向上する。
【００２７】
なお、上記第２実施形態では、鍵２の内面に突起片３２を設け、ハンマーアーム５に回転体３１を設けたが、これに限らず、例えば図１０に示すように、鍵２の後端部に支持部３５を設け、この支持部３５に回転体３１を軸３３により回転可能に取り付け、鍵盤シャーシ１上に回転体３１の係合凹部３１ａに係合する弾性突起片３６を設けた構成でも良い。この場合には、回転規制部材３４の規制凹部３４ａを回転体３１に設け、ストッパ片３４ｂを鍵２の支持部３５に設け、押鍵時に突起片３２が係合凹部３１ａに係合するときに、回転規制部材３４が回転体３１の回転を規制し、突起片３２が係合凹部３１ａから離脱するときに、回転規制部材３４による回転体３１の規制を解除して回転体３１が回転するように構成すれば良い。このようにしても、第２実施形態と同様の作用効果があることは言うまでもない。
【００２８】
また、上記第２実施形態およびその変形例では、回転体３１に係合凹部３１ａを設け、鍵２に突起片３２または鍵盤シャーシ１に弾性突起片３６を設けたが、これに限らず、例えば回転体２に突起片を設け、鍵２に係合凹部または鍵盤シャーシ１に弾性係合凹部を設けるようにしても良い。また、回転規制部材３４の規制部として、規制凹部３４ａを回転体３１に設け、ストッパ片３４ｂをハンマーアーム５側または鍵２側に設けたが、これに限らず、回転体３１に規制突起を設け、ハンマーアーム５側または鍵２側に規制突起の先端部が移動可能に挿入するストッパ凹部を設けた構成にしても良い。このようにしても、第２実施形態およびその変形例と同様の作用効果があることは言うまでもない。
【００２９】
［第３実施形態］
次に、図１１〜図１５を参照して、この発明の鍵盤装置の第３実施形態について説明する。この場合には、図１〜図５に示された第１実施形態、および図７〜図９に示された第２実施形態と同一部分には同一符号を付し、その説明は省略する。
この鍵盤装置は、第１実施形態のクリック感付与部材（以下、第１クリック感付与部材２０という）と、第２実施形態のクリック感付与部材（以下、第２クリック感付与部材３０という）とを組み合わせたものであり、これら以外は第１、第２実施形態と同じ構成になっている。
【００３０】
すなわち、第１クリック感付与部材２０は、図１１および図１２に示すように、ハンマーアーム５の上限ストッパ９の後方（同図では右方）における鍵盤シャーシ１の後端部１ｂ内の上部内面に第１実施形態と同様に設けられた傾斜部材２１を備えている。また、ハンマーアーム５は、第１実施形態と同様、鍵盤シャーシ１上に設けられたハンマー支持軸６に回動可能で、かつ鍵２の前後方向に向けて移動可能に取り付けられている。すなわち、ハンマーアーム５は、回動中心部分にハンマー支持軸６が移動可能に挿入する長孔２４が設けられ、押鍵時にハンマーアーム５の突起部２２が下方から傾斜段部２３に当接して、この傾斜段部２３に沿って移動するときに、ハンマー支持軸６が長孔２４内を相対的に移動し、これにより鍵２の前方に移動し、また鍵２が上方に回動する戻り行程で突起部２２が下方に移動するときに、突起部２２が傾斜部材２１から離脱し、下限ストッパ８に当接する前に、ハンマーアーム５の錘７の重量によってハンマー支持軸６が長孔２４内を相対的に逆方向に移動し、これにより鍵２の後方に移動して初期状態に戻るように構成されている。
【００３１】
一方、第２クリック感付与部材３０は、図１１および図１２に示すように、ハンマーアーム５の上端部５ａの先端に設けられて外周面が鍵２の内面を摺動する回転体３１と、この回転体３１が摺動する鍵２の内面に設けられた突起片３２とを備えている。回転体３１は、第２実施形態と同様、ハンマーアーム５の上端部５ａの先端に軸３３により回転自在に取り付けられ、その外周面に鍵２の突起片３２が乗り越えて係合する係合凹部３１ａが設けられ、回転規制部材３４によってその回転角が規制されている。回転規制部材３４も、第２実施形態と同様、回転体３１の外周面に設けられた規制凹部３４ａと、ハンマーアーム５に設けられたストッパ片３４ｂとを有し、このストッパ片３４ｂの先端部が規制凹部３４ａ内に移動可能に挿入して規制凹部３４ａ内の端面に当接することにより、回転体３１の回転角を規制している。
【００３２】
このような鍵盤装置では、従来例と同様、ハンマーアーム５の錘７の重量に抗して鍵２が押鍵されると、鍵２が軸４を中心に下方に回動するとともに、ハンマーアーム５がハンマー支持軸６を中心に図１２において反時計方向に回動した後、鍵２のスイッチ押圧部１６がゴムスイッチ１５を押圧する。この後、図１３に示すように、ハンマーアーム５の突起部２２が第１クリック感付与部材２０の傾斜段部２３に下方から当接し、この傾斜段部２３の段差部２３ｂから上側の傾斜面２３ａに沿って移動する。このときには、ハンマー支持軸６が長孔２４内をハンマーアーム５の重量に抗して相対的に移動することにより、図１４に示すように、ハンマーアーム５が鍵２の前方に移動する。すると、第２クリック感付与部材３０の回転体３１が図１３に示すように鍵２の内面を摺動しながら回転して、回転規制部材３４のストッパ片３４ｂに回転体３１の規制凹部３４ｂの端面３４ｃが当接し、これにより回転体３１の回転が規制され、この状態で鍵２の突起片３２が図１４に示すように回転体３１の外周面を乗り越えて回転体３１の係合凹部３１ａに係合する。
【００３３】
このように鍵２が下方に回動する行き行程では、第１クリック感付与部材２０のハンマーアーム５の突起部２２が傾斜段部２３に当接して、この傾斜段部２３に沿って移動し、ハンマーアーム５がその重量に抗して鍵２の前方に移動するときに、鍵荷重が重くなり、かつ第２クリック感付与部材３０の回転規制部材３４により回転体３１の回転が規制された状態で、鍵２の突起片３２が回転体３１の外周面を乗り越えて係合凹部３１ａに係合するときにも、鍵荷重が重くなり、これら第１、第２クリック感付与部材２０、３０の両者がほぼ同時に動作することにより、図１５のＣ点からＤ点に示すように、第１、第２実施形態に比べて鍵荷重がかなり重くなり、また第１クリック感付与部材２０のハンマーアーム５の突起部２２が傾斜段部２３を乗り越えたときに、鍵荷重が軽くなり、かつ第２クリック感付与部材３０の突起片３２が回転体３１の係合凹部３１ａに係合したときにも、鍵荷重が軽くなり、これら第１、第２クリック感付与部材２０、３０の両者によって、図１５のＤ点からＥ点に示すように、鍵２に抜ける感じのクリック感が大きく付与される。この後は、従来例と同様、ハンマーアーム５の突起部２２の上面が上限ストッパ９に当接して、ハンマーアーム５および鍵２の回動が停止する。
【００３４】
この後、ハンマーアーム５が錘７の重量により図１４において時計方向に回動すると、これに伴って鍵２が上方に回動する。この戻り行程のときには、第１クリック感付与部材２０の傾斜段部２３によってハンマーアーム５が前方に移動した状態、つまりハンマー支持軸６がハンマーアーム５の長孔２４内の右端部に位置した状態で回動するので、ハンマーアーム５の突起部２２は、傾斜部材２１の傾斜段部２３に沿って移動せず、傾斜部材２１からそのまま離脱する。このため、鍵荷重が重くなることがなく、鍵２にクリック感が付与されることがない。この後は、従来例と同様、ハンマーアーム５および鍵２が回動して図１１および図１２に示す初期位置に戻るのであるが、このときには、ハンマーアーム５の回動により長孔２４が右下がりに傾くので、ハンマーアーム５の錘７の重量によりハンマー支持軸６が長孔２４内を相対的に逆方向に移動し、これによりハンマーアーム５が後方に移動する。このときには、第２クリック感付与部材３０の回転体３１が鍵２の内面に沿って摺動を開始し、鍵２の突起片３２が係合凹部３１ａの縁に当接して回転体３１を回転させ、これにより突起片３２が回転体３１の外周面に接触することなく係合凹部３１ａから離脱する。このため、図１５のＦ点からＨ点に示すように、鍵２にクリック感が付与されることがない。この後、ハンマーアーム５の突起部２２の下面が下限ストッパ８に当接して初期位置に戻る。
【００３５】
このように、この鍵盤装置によれば、押鍵時に鍵２が下方に回動する行き行程では、第１、第２クリック感付与部材２０、３０の両者によって、鍵２に抜ける感じのクリック感を大きく付与することができ、また鍵２が上方に回動する戻り行程では、第１、第２クリック感付与部材２０、３０の両者がそれぞれ鍵２に対するクリック感を付与することがないため、第１、第２実施形態のものよりも、より一層、アコースティックピアノの鍵タッチ感に近似した鍵タッチ感を得ることができ、しかも戻り行程でクリック感が付与されないため、ハンマーアーム５の復帰速度が従来のものよりも早くなり、これに伴って鍵２の初期位置への復帰が早くなるため、連打性が向上する。
【００３６】
なお、上記第３実施形態では、ハンマーアーム５の突起部２２が傾斜部材２１の傾斜段部２３に当接して移動するときに、ハンマーアーム５が鍵２の前方に移動するように、第１クリック感付与部材２０を構成し、ハンマーアーム５の上端部５ａの先端に回転体３１を設け、この回転体３１の係合凹部３１ａに鍵２の内面に設けられた突起片３２が係合するように、第２クリック感付与部材３０を構成したが、これに限らず、例えば図６に示す第１実施形態の変形例のように、傾斜部材２１を鍵盤シャーシ１上に鍵２の前後方向にスライド可能に取り付け、この傾斜部材２１をばねなどの復帰部材２６により傾斜部材２１を初期位置に付勢するように、第１クリック感付与部材を構成し、かつ図１０に示す第２実施形態の変形例のように、回転体３１を鍵２の後端部に設けられた支持部３５に軸３３により回転可能に取り付け、鍵盤シャーシ１上に回転体３１の係合凹部３１ａに係合する突起片３２を設け、押鍵時に突起片３２が回転体３１の係合凹部３１ａに係合するように、第２クリック感付与部材を構成しても良い。このようにしても、第３実施形態とほぼ同様の作用効果があることは言うまでもない。
【００３７】
【発明の効果】
以上説明したように、請求項１記載の発明によれば、押鍵時に鍵が下方に回動する行き行程では、ハンマーアームの一部が傾斜部材に当接して移動する際に、ハンマーアームと傾斜部材とが相対的に鍵の前後方向に変位することにより、鍵荷重が重くなり、ハンマーアームの一部が傾斜部材を移動して乗り越えると鍵荷重が軽くなり、これにより鍵に抜ける感じの鍵タッチ感を付与することができ、また鍵が上方に回動する戻り行程では、ハンマーアームの一部が傾斜部材から離脱するので、鍵に対しクリック感が付与されることがなく、このためアコースティックピアノの鍵タッチ感に近似した鍵タッチ感を得ることができる。
【００３８】
請求項３記載の発明によれば、押鍵時に鍵が下方に回動する行き行程で突起片が回転体の係合部に係合するときに、回転規制部材によって回転体の回転が規制されるため、回転体の係合部に突起片が乗り越えて係合することになり、このため突起片が乗り越えるときに鍵荷重が重くなり、乗り越えて係合部に係合したときに鍵荷重が軽くなり、これにより鍵に抜ける感じの鍵タッチ感を付与することができ、また鍵が上方に回動する戻り行程では、係合部から突起片が離脱するときに回転規制部材による回転体に対する規制が解除されて回転体が回転するので、鍵に対しクリック感が付与されることがなく、このためアコースティックピアノの鍵タッチ感に近似した鍵タッチ感を得ることができる。
【００３９】
請求項６記載の発明によれば、請求項１記載のクリック感付与手段を第１クリック感付与手段とし、また請求項３記載のクリック感付与手段を第２とクリック感付与手段として、その両者を組み合わせたので、押鍵時に鍵が下方に回動する行き行程では、第１クリック感付与手段および第２クリック感付与手段の両者により、鍵に抜ける感じの鍵タッチ感を大きく付与することができ、鍵が上方に回動する戻り行程では、第１クリック感付与手段および第２クリック感付与手段の両者が鍵に対しクリック感を付与しないため、より一層、アコースティックピアノの鍵タッチ感に近似した鍵タッチ感を得ることができる。
【図面の簡単な説明】
【図１】この発明の鍵盤装置の第１実施形態を示した断面図。
【図２】図１の鍵盤装置の傾斜部材を示した拡大断面図。
【図３】図１の鍵盤装置の鍵を押鍵してハンマーアームの突起部が傾斜部材に下方から当接した状態を示した一部省略した断面図。
【図４】図１の鍵盤装置の鍵を押鍵してハンマーアームの突起部が傾斜部材を乗り越えた状態を示した一部省略した断面図。
【図５】図１の鍵盤装置における鍵ストロークに対する鍵荷重の特性を示した図。
【図６】第１実施形態の変形例を示した図。
【図７】この発明の鍵盤装置の第２実施形態を示した断面図。
【図８】図７の鍵盤装置のクリック感付与部材の動作状態を示し、（ａ）は鍵を押鍵する前の状態を示した要部の拡大断面図、（ｂ）は鍵を押鍵して回転体が鍵の突起片に接近した状態を示した要部の拡大断面図、（ｃ）は鍵が押鍵されて鍵の突起片が回転体の係合凹部に係合した状態を示した要部の拡大断面図。
【図９】図７の第２実施形態における鍵盤装置の鍵ストロークに対する鍵荷重の特性を示した図。
【図１０】第２実施形態の変形例を示した図。
【図１１】この発明の鍵盤装置の第３実施形態を示した断面図。
【図１２】図１１の鍵盤装置の要部を拡大した断面図。
【図１３】図１２の状態で鍵が押鍵されてハンマーアームの突起部が傾斜部材に下方から当接した状態を示した要部拡大断面図。
【図１４】図１３の状態で更に鍵が回動してハンマーアームの突起部が傾斜部材を乗り越え、かつハンマーアームが鍵の前方に移動して鍵の突起片が回転体の係合凹部に係合した状態を示した要部拡大断面図。
【図１５】図１１の第３実施形態における鍵盤装置の鍵ストロークに対する鍵荷重の特性を示した図。
【図１６】従来の鍵盤装置を示した断面図。
【図１７】図１６の従来のクリック感付与部材を示した拡大断面図。
【図１８】図１６の従来の鍵盤装置における鍵ストロークに対する鍵荷重の特性を示した図。
【符号の説明】
１  鍵盤シャーシ
２  鍵
３  鍵支持部
４  軸
５  ハンマーアーム
６  ハンマー支持軸
２０、３０  クリック感付与部材
２１  傾斜部材
２２  ハンマーアームの突起部
２３  傾斜段部
２４、２５  長孔
２６  復帰部材
３１  回転体
３１ａ  係合凹部
３２  突起片
３４  回転規制部材
３４ａ  規制凹部
３４ｂ  ストッパ片
３６  弾性突起片
【図１】
0003744181.tif 000002
【図２】
0003744181.tif 000003
【図３】
0003744181.tif 000004
【図４】
0003744181.tif 000005
【図５】
0003744181.tif 000006
【図６】
0003744181.tif 000007
【図７】
0003744181.tif 000008
【図８】
0003744181.tif 000009
【図９】
0003744181.tif 000010
【図１０】
0003744181.tif 000011
【図１１】
0003744181.tif 000012
【図１２】
0003744181.tif 000013
【図１３】
0003744181.tif 000014
【図１４】
0003744181.tif 000015
【図１５】
0003744181.tif 000016
【図１６】
0003744181.tif 000017
【図１７】
0003744181.tif 000018
【図１８】
0003744181.tif 000019